(57)【要約】【課題】引き出し線数を低減させ、額縁領域の大きさを小さくすることが可能な技術を提供することである。【解決手段】  一対の透明基板が対向配置され、一方の透明基板の対向面に複数の走査電極が配置されると共に、他方の透明基板の対向面に前記走査電極と交差する検出電極が配置されるインセル型タッチパネルを備える表示装置であって、前記走査電極と電気的に接続され、走査信号を前記走査電極に供給する第１の引き出し線と、前記検出電極と電気的に接続され、前記検出電極からの検出信号が出力される第２の引き出し線とを備え、前記走査電極は少なくとも２つの異なる電極幅で形成され、前記第１の引き出し走査線のそれぞれが、前記異なる電極幅で形成される少なくとも２つの走査電極に接続される表示装置である。【選択図】  図１
2015084165.tif 000002
【特許請求の範囲】
【請求項１】
一対の透明基板が対向配置され、一方の透明基板の対向面に複数の走査電極が配置されると共に、他方の透明基板の対向面に前記走査電極と交差する検出電極が配置されるインセル型タッチパネルを備える表示装置であって、前記走査電極と電気的に接続され、走査信号を前記走査電極に供給する第１の引き出し線と、前記検出電極と電気的に接続され、前記検出電極からの検出信号が出力される第２の引き出し線とを備え、前記走査電極は少なくとも２つの異なる電極幅で形成され、前記第１の引き出し走査線のそれぞれが、前記異なる電極幅で形成される少なくとも２つの走査電極に接続されることを特徴とする表示装置。
【請求項２】
前記駆動回路は長方形に形成される当該表示装置の短辺側の辺部に搭載され、前記走査電極は当該表示装置の短辺方向に延在し、長辺方向に並設されることを特徴とする請求項１に記載の表示装置。
【請求項３】
前記電極幅が異なる走査電極が交互に並設されることを特徴とする請求項１又は２に記載の表示装置。
【請求項４】
前記走査電極は並設方向に第１の電極群と第２の電極群とに２分割され、前記第１の引き出し線には前記第１の電極群の走査電極と、前記第２の電極群の走査電極とがそれぞれ１つずつ接続されることを特徴とする請求項１乃至３の内の何れかに記載の表示装置。
【請求項５】
前記第１の引き出し線に接続される２つの走査電極は、前記走査電極の並設方向の中心に対して対称の位置に形成される前記第１の電極群の走査電極と前記第２の電極群の走査電極であることを特徴とする請求項４に記載の表示装置。
【請求項６】
前記第１の引き出し線に接続される２つの走査電極は、前記第１の電極群と前記第２の電極群とにおいて、同じ並設位置に形成される走査電極であることを特徴とする請求項４に記載の表示装置。
【請求項７】
前記第２の引き出し線が形成される辺部に配置され、前記走査信号を供給すると共に前記検出電極で検出される検出信号が入力される駆動回路を備え、前記駆動回路は、前記検出信号からタッチの有無を検出する第１の判定レベルと、前記第１の引き出し線に接続される２つの走査電極の内の何れの走査電極にタッチされたかを判定する第２の判定レベルとを有し、前記検出信号からタッチ位置を検出する際に、前記第１の判定レベル及び前記第２の判定レベルと前記検出信号との比較結果と共に、前記検出信号が検出された前記検出電極の位置と前記走査信号が供給される前記第１の引き出し線とに基づいて、前記タッチの位置を検出することを特徴とする請求項１乃至６の内の何れかに記載の表示装置。
【請求項８】
前記一対の透明基板は液晶層を介して対向配置されると共に、前記一方の透明基板に基準となるコモン信号が供給される共通電極と映像信号が供給される画素電極とが形成されるＩＰＳ方式の液晶表示パネルからなることを特徴とする請求項１乃至７の内の何れかに記載の表示装置。
【請求項９】
前記走査電極は、複数の前記共通電極からなることを特徴とする請求項８に記載の表示装置。
【発明の詳細な説明】
【技術分野】
【０００１】
本発明は、表示装置に係わり、特に、表示装置を構成する一対の透明基板に位置検出用の電極が形成されるインセル型タッチパネルに関する。
【背景技術】
【０００２】
表示画面に使用者の指などを用いてタッチ操作（以下、単にタッチと称する）して情報を入力する画面入力機能をもつ検出装置（以下、タッチパネルとも称する）を備えた表示装置が、携帯端末などのモバイル用電子機器、各種の家電製品、無人受付機等の据置型顧客案内端末に用いられている。特に、近年では、マルチタッチと称される多点入力が可能であると共に、透過率が高く表示画質を低下させない点で有利となるので、静電容量式のタッチパネルが携帯情報端末を中心に広く普及している。この静電容量式のタッチパネルには、表示装置の表示面側にタッチパネルを配置した外付け型のタッチパネルの他に、表示装置の前面に配置され、当該表示装置を保護する透明基板（カバーガラス）に静電容量方式の電極を形成した方式、表示装置を構成する表示面側の透明基板の外側面に電極を形成した方式（オンセル型）、及び表示装置を構成する透明基板の内側面（対向面）に電極を形成した方式（インセル型）等がある。
【０００３】
静電容量式のタッチパネルを用いた表示装置には、例えば、特許文献１に記載のタッチパネル、表示パネル、および表示装置がある。この特許文献１に記載の表示装置では、複数の走査電極と交差するように検出電極が形成される構成となっている。このとき、特許文献１の検出電極では、２つの異なる形状の電極を交互に配置する構成となっている。この構成により、２つ形状の異なる検出電極のフリンジ容量の違いに基づいて、検出信号に重畳される外部ノイズを除去し、誤検出を抑制する構成としている。
【先行技術文献】
【特許文献】
【０００４】
【特許文献１】特開２０１０−２８２５０１号公報
【発明の概要】
【発明が解決しようとする課題】
【０００５】
従来のインセル型タッチパネルを備える表示装置では、図１４に示すように、図中左側の額縁領域ＦＡと図中右側の額縁領域ＦＡとに引き出し線（引き出し走査線）ＳＤを形成することによって、額縁領域ＦＡに効率的に引き出し走査線ＳＤを形成する構成となっている。すなわち、図中上側の領域に形成される走査電極ＳＥと駆動回路ＤＲとを電気的に接続する第１の引き出し線となる引き出し走査線ＳＤは、図中右側の額縁領域ＦＡに形成している。また、図中下側の領域に形成される走査電極ＳＥと駆動回路ＤＲとを電気的に接続する第２の引き出し線となる引き出し走査線ＳＤは、図中左側の額縁領域ＦＡに形成している。
【０００６】
一方、携帯情報端末に搭載される液晶表示装置では、急速に高精細化と大画面化が進展すると共に、限られた大きさの筐体に大画面の液晶表示装置を搭載するために、表示領域の周囲に形成され、画像表示に寄与しない領域である額縁領域ＦＡを小さくする挟額縁化が切望されている。また、表示領域内に対応した検出領域ＡＤを確保するために、インセル型タッチパネルにおいても表示装置と同様に、検出領域ＡＤの拡大と共に挟額縁化が切望されている。
【０００７】
しかしながら、静電容量式のインセル型タッチパネルにおいては、所定の検出精度を確保しつつ検出領域を拡大するためには、走査電極ＳＥと検出電極ＤＥとが増加することとなる。このために、走査電極と駆動回路とを接続する引き出し線ＳＤ，ＤＤの信号線数もさらに増加してしまうこととなり、特に、引き出し走査線ＳＤの信号線数の増加に伴って額縁領域ＦＡの大きさも増大してしまうという問題があり、その解決方法が切望されている。
【０００８】
本発明はこれらの問題点に鑑みてなされたものであり、本発明の目的は、引き出し線数を低減させ、額縁領域の大きさを小さくすることが可能な技術を提供することにある。
【課題を解決するための手段】
【０００９】
前記課題を解決すべく、本願発明の表示装置は、一対の透明基板が対向配置され、一方の透明基板の対向面に複数の走査電極が配置されると共に、他方の透明基板の対向面に前記走査電極と交差する検出電極が配置されるインセル型タッチパネルを備える表示装置であって、前記走査電極と電気的に接続され、走査信号を前記走査電極に供給する第１の引き出し線と、前記検出電極と電気的に接続され、前記検出電極からの検出信号が出力される第２の引き出し線とを備え、前記走査電極は少なくとも２つの異なる電極幅で形成され、前記第１の引き出し走査線のそれぞれが、前記異なる電極幅で形成される少なくとも２つの走査電極に接続される表示装置である。
【発明の効果】
【００１０】
本発明によれば、引き出し線数を低減させ、額縁領域の大きさを小さくすることができる。
【００１１】
本発明のその他の効果については、明細書全体の記載から明らかにされる。
【図面の簡単な説明】
【００１２】
【図１】本発明の実施形態１の表示装置におけるインセル型タッチパネル部分の全体構成を説明するための平面図である。
【図２】本発明の実施形態１のタッチパネルにおけるタッチ位置の検出動作を説明するための平面図である。
【図３】本発明の実施形態１のタッチパネルにおけるタッチ位置の検出動作説明するための断面図である。
【図４】本発明の実施形態１のタッチパネルにおける走査電極に入力される走査信号を説明するための図である。
【図５】本発明の実施形態１のタッチパネルにおける検出信号を示す図である。
【図６】従来のタッチパネルの概略構成を説明する平面図である。
【図７】従来のタッチパネルにおけるタッチ位置の検出動作説明するための断面図である。
【図８】従来のタッチパネルにおける走査電極に入力される走査信号を説明するための図である。
【図９】従来のタッチパネルにおける検出信号を示す図である。
【図１０】従来のタッチパネルにおけるタッチ位置の検出動作を説明するための平面図である。
【図１１】本発明の実施形態１の表示装置における他のインセル型タッチパネル部分の全体構成を説明するための平面図である。
【図１２】本発明の実施形態２の表示装置におけるインセル型タッチパネル部分の全体構成を説明するための平面図である。
【図１３】本発明の実施形態３の表示装置におけるインセル型タッチパネル部分の全体構成を説明するための平面図である。
【図１４】従来のタッチパネルの概略構成を説明する平面図である。
【発明を実施するための形態】
【００１３】
以下、本発明が適用された実施形態について、図面を用いて説明する。ただし、以下の説明において、同一構成要素には同一符号を付し繰り返しの説明は省略する。また、図中に示すＸ，Ｙ，Ｚは、それぞれＸ軸，Ｙ軸，Ｚ軸を示す。
【００１４】
〈実施形態１〉
図１は本発明の実施形態１の表示装置におけるインセル型タッチパネル部分の全体構成を説明するための平面図であり、以下、図１に基づいて、実施形態１のインセル型タッチパネルの全体構成を説明する。ただし、図１に示すインセル型タッチパネルでは、説明を簡単にするために、周知の液晶表示パネルを形成する一対の透明基板の対向面にそれぞれ形成される走査電極ＳＥ、検出電極ＤＥ、引き出し走査線ＳＤ、及び引き出し検出線ＤＤのみを示している。また、以下の説明では、ＩＰＳ方式の液晶表示パネルにインセル型タッチパネルを形成した場合について説明するが、他の方式の液晶表示装置や有機ＥＬ表示装置等にも適用可能である。
【００１５】
図１に示す実施形態１の表示装置におけるインセル型タッチパネルでは、液晶表示パネルを構成する一対の透明基板ＳＵＢ１，ＳＵＢ２の内で、画像表示を行う図示しないドレイン線及びゲート線並びに薄膜トランジスタ等が形成される側の透明基板（第１基板）ＳＵＢ１には、タッチパネルの駆動回路ＤＲが搭載されている。この第１基板ＳＵＢ１には、周知の透明導電膜からなる走査電極ＳＥ、及び該走査電極ＳＥと駆動回路ＤＲとを電気的に接続する引き出し走査線（第１の引き出し線）ＳＤが形成されている。駆動回路ＤＲは第１基板ＳＵＢ１の対向面側に搭載されており、駆動回路ＤＲからの走査信号が引き出し走査線ＳＤを介して走査電極ＳＥに供給される。なお、ＩＰＳ方式の液晶表示パネルでは、第１基板ＳＵＢ１の側に共通電極が形成されることとなるので、複数の共通電極を兼用して走査電極ＳＥを形成することができる。
【００１６】
一方、図示しない液晶層を介して第１基板ＳＵＢ１に対向配置される透明基板（第２基板）ＳＵＢ２には、周知の透明導電膜からなる検出電極ＤＥ、及び該走査電極ＤＥと駆動回路ＤＲとを電気的に接続する引き出し検出線（第２の引き出し線）ＤＤが形成されている。このとき、駆動回路ＤＲは第１基板ＳＵＢ１に搭載されている。従って、第２基板ＳＵＢ２側の引き出し検出線ＤＤと第１基板ＳＵＢ１側の引き出し検出線ＤＤとは、第１基板ＳＵＢ１と第２基板ＳＵＢ２の対向面に形成される図示しない周知の導電性樹脂を介して電気的に接続される。この構成により、検出電極ＤＥで検出される信号（検出信号）に基づいて、タッチされた走査電極ＳＥの容量が駆動回路ＤＲで演算され、タッチ位置の走査電極ＳＥ１，ＳＥ２が特定され、検出領域ＡＤ内での操作者のタッチ位置が検出される。すなわち、検出領域ＡＤ内にマトリクス状に配置される走査電極ＳＥ１，ＳＥ２と検出電極ＤＥとの交点が検出され、検出領域ＡＤ内における操作者のタッチ位置が検出される。
【００１７】
このとき、図１から明らかなように、実施形態１の走査電極ＳＥは、Ｘ方向に延在しＹ方向に並設され、電極幅がＷ１の走査電極（第１の走査電極）ＳＥ１と、電極幅がＷ２の走査電極（第２の走査電極）ＳＥ２とで構成され、電極幅Ｗ１と電極幅Ｗ２とは、Ｗ１＜Ｗ２を満たす構成である。また、走査電極ＳＥ１と走査電極ＳＥ２とは、走査電極ＳＥの並設方向であるＹ軸の方向に交互に配置されている。すなわち、実施形態１の構成では、図中にＨ１で示す図中上側から１番目に電極幅Ｗ１の走査電極ＳＥ１が形成され、Ｈ２で示す上側から２番目に電極幅Ｗ２の走査電極ＳＥ２が形成されている。また、Ｈ３で示す３番目には、電極幅Ｗ１の走査電極ＳＥ１が形成されている。以降、電極幅Ｗ２の走査電極ＳＥ２と電極幅Ｗ１の走査電極ＳＥ１とがＹ軸の方向に交互に並設され、Ｈｎで示す電極幅Ｗ１の走査電極ＳＥ１が図中下側から２番目に形成され、Ｈｎ＋１で示す電極幅Ｗ２の走査電極ＳＥ２が図中下側から１番目に形成される。ただし、ｎは１以上の奇数である。なお、図１中上側から奇数番目に電極幅Ｗ２の走査電極ＳＥ２が配置され、偶数番目に電極幅Ｗ１の走査電極ＳＥ１が配置される構成であってもよい。
【００１８】
さらには、実施形態１の構成では、異なる２つの電極幅Ｗ１，Ｗ２の走査電極ＳＥである走査電極ＳＥ１と走査電極ＳＥ２とが、それぞれ１本の引き出し走査線ＳＤに電気的に接続されている。この構成により、同一の走査信号が２つの走査電極ＳＥ１，ＳＥ２に入力される構成となっている。すなわち、実施形態１の走査電極ＳＥの構成では、Ｈ１で示す電極幅Ｗ１の走査電極ＳＥ１と、Ｈｎ＋１で示す電極幅Ｗ２の走査電極ＳＥ２とが同一の引き出し走査線ＳＤで電気的に接続されている。また、Ｈ２で示す電極幅Ｗ２の走査電極ＳＥ２と、Ｈｎで示す電極幅Ｗ１の走査電極ＳＥ１とが同一の引き出し走査線ＳＤで電気的に接続されている。同様に、Ｈ３で示す電極幅Ｗ１の走査電極ＳＥ１に対しても、駆動回路ＤＲが配置される側の辺すなわち図中下側の辺に形成される走査電極ＳＥ２が対をなし、同一の引き出し走査線ＳＤに電気的に接続される。他の図示しない走査電極ＳＥ１と走査電極ＳＥ２においても、順次、駆動回路ＤＲが搭載される辺とこの辺の対辺に近い走査電極ＳＥが同一の引き出し走査線ＳＤに電気的に接続され、走査電極ＳＥ１と走査電極ＳＥ２とに同一の走査信号が供給される構成となる。すなわち、走査電極は並設方向であるＹ方向の上側半分の走査電極群（第１の電極群）と、下側半分の走査電極群（第２の電極群）とに２分割され、各第引き出し走査線ＳＤには上側半分の走査電極群の走査電極ＳＥと、下側半分の走査電極群の走査電極ＳＥとがそれぞれ１つずつ接続される構成となる。
【００１９】
このように、本願発明の走査電極ＳＥの構成では、電極幅が異なる走査電極ＳＥ１と走査電極ＳＥ２とが対をなし、同一の引き出し走査線ＳＤに接続される構成となっている。すなわち、検出電極ＤＥとの間に形成される容量が異なる走査電極ＳＥ１と走査電極ＳＥ２とが対をなすように、同一の引き出し走査線ＳＤに接続される構成となっている。その結果、後述するように、タッチ位置の走査電極ＳＥの電極幅がＷ１の走査電極ＳＥ１の場合と、電極幅がＷ２の走査電極ＳＥ２の場合とでは、フリンジ部分以外の容量が異なるため、タッチされた位置に形成される検出電極ＤＥで検出される応答（検出信号）も異なることとなる。従って、実施形態１のタッチパネルでは、この異なる検出信号に基づいて、同一の走査信号が供給される一対の走査電極ＳＥ１，ＳＥ２の内の何れの走査電極ＳＥにタッチされたかを判定し、画面上の位置を特定する。
【００２０】
図２は本発明の実施形態１のタッチパネルにおけるタッチ位置の検出動作を説明するための平面図、図３は本発明の実施形態１のタッチパネルにおけるタッチ位置の検出動作説明するための断面図、図４は本発明の実施形態１のタッチパネルにおける走査電極に入力される走査信号を説明するための図、図５は本発明の実施形態１のタッチパネルにおける検出信号を示す図である。また、図６は従来のタッチパネルの概略構成を説明する平面図、
図７は従来のタッチパネルにおけるタッチ位置の検出動作説明するための断面図、図８は従来のタッチパネルにおける走査電極に入力される走査信号を説明するための図、図９は従来のタッチパネルにおける検出信号を示す図、図１０は従来のタッチパネルにおけるタッチ位置の検出動作を説明するための平面図である。ただし、図７（ａ），（ｂ）に示す断面図は、走査電極と検出電極との交差部分における走査電極の延在方向に沿った断面図である。また、図３（ａ），（ｂ）に示す断面図は、走査電極と検出電極との交差部分における走査電極の延在方向に沿った断面図であり、走査電極と検出電極とが重畳する領域の面積を検出電極の長さで示した図である。
【００２１】
まず、図６〜図１０に基づいて、従来のタッチパネルにおけるタッチ位置の検出動作について説明する。図６に示すように、従来のタッチパネルでは、Ｘ方向に延在しＹ方向に並設される走査電極ＳＥは、その形成位置に係わらずに同じ電極幅Ｗで形成されている。その結果、Ｈ１〜Ｈｎ＋１で示す第１番目〜第ｎ＋１番目の走査電極ＳＥの容量は、検出電極ＤＥから見た場合、略同一の容量となる。さらには、各走査電極ＳＥはそれぞれに対応した１本の引き出し走査線ＳＤを介して駆動回路ＤＲと接続され、走査信号が供給される構成となっている。
【００２２】
この構成からなるタッチパネルでは、走査電極ＳＥに電圧を印可した状態で非タッチ時の場合、走査電極ＳＥと検出電極ＤＥとの間には絶縁体である液晶層ＬＣを介して電界が生じる。このとき、走査電極ＳＥと検出電極ＤＥとが重畳する部分では、図７（ａ）に示すように、走査電極ＳＥの対向面と検出電極ＤＥの対向面との間に電気力線ＥＦ１が生じる。一方、走査電極ＳＥと検出電極ＤＥとが重畳しない部分すなわちフリンジ部分では、走査電極ＳＥの対向面と検出電極ＤＥの端面との間や走査電極ＳＥの対向面と検出電極ＤＥの表面側との間に電気力線ＥＦ２が生じる。
【００２３】
これに対して、操作者が指ＦＮをタッチした場合、図７（ｂ）に示すように、走査電極ＳＥの対向面と検出電極ＤＥの対向面との間には、非タッチ時と同様の電気力線ＥＦ１が生じる。一方、走査電極ＳＥと検出電極ＤＥとが重畳しない部分すなわちフリンジ部分では、走査電極ＳＥの対向面と指ＦＮとの間に電気力線ＥＦ３が生じることとなる。
【００２４】
このとき、従来のタッチパネルでは、図８に示すように、Ｈ１〜Ｈｎ＋１で示す第１番目〜第ｎ＋１番目の走査電極ＳＥに、順番に所定電圧の走査信号ＳＩＧを印可する構成となっている。従って、図９に示すように、非タッチ時に検出電極ＤＥで検出される電流値のグラフＧ１に対して、タッチ時にはフリンジ部分の電気力線が指ＦＮに引き寄せられ電気力線ＥＦ３が生じ、検出電極ＤＥで検出される電流値がグラフＧ４に示すように減少することとなる。例えば、図１０に示すように、Ｈｍで示す第ｍ番目の走査電極ＳＥとＶｒで示す第ｒ番目の検出電極ＤＥとが交差する位置（図中に丸印Ｃで示す）に操作者がタッチした場合、図８にＨｍで示す第ｍ番目の走査電極ＳＥに走査信号ＳＩＧが入力された時に、Ｖｒで示す第ｒ番目の検出電極ＤＥに図９のグラフＧ４の信号が計測され、他の検出電極ＤＥにはグラフＧ１の信号が計測される。その結果、走査信号ＳＩＧの出力タイミングと、検出電極ＤＥで計測されたグラフＧ１，Ｇ４に対応する信号（検出信号）とに基づいて、駆動回路ＤＲは操作者が指ＦＮでタッチした位置を特定することが可能となる。
【００２５】
この従来のタッチパネルに対して、実施形態１のタッチパネルでは、前述するように、１本の引き出し走査線ＳＤに対して２つの走査電極ＳＥ１，ＳＥ２が接続されると共に、この２つの走査電極ＳＥ１，ＳＥ２が異なる電極幅Ｗ１，Ｗ２で形成されている。従って、実施形態１のタッチパネルでは、操作者がタッチした場合における走査電極ＳＥと指ＦＮとの間におけるフリンジ部分の電気力線が電極幅Ｗ１，Ｗ２によって異なることとなる。
【００２６】
以下、図２〜図５に基づいて詳細に説明する。なお、以下の説明では、１本の引き出し走査線ＳＤに接続される２つの走査電極ＳＥ１，ＳＥ２として、図２に示すように、Ｈ１で示す第１番目の走査電極ＳＥ１とＶｒで示す第ｒ番目の検出電極ＤＥとが交差する位置（図中に丸印Ａで示す）、及びＨｎ＋１で示す第ｎ＋１番目の走査電極ＳＥ２とＶｒで示す第ｒ番目の検出電極ＤＥとが交差する位置（図中に丸印Ｂで示す）での検出動作について詳細に説明する。
【００２７】
図３（ａ），（ｂ）に示すように、電極幅Ｗ１，Ｗ２の走査電極ＳＥ１，ＳＥ２と検出電極ＤＥとがそれぞれ重畳する部分では、電極幅Ｗ２の走査電極ＳＥ２と検出電極ＤＥとが重畳する部分の面積が、電極幅Ｗ１の走査電極ＳＥ１と検出電極ＤＥとが重畳する部分の面積よりも大きくなる。このとき、図３（ａ），（ｂ）に示すように、指ＦＮがタッチされた場合における走査電極ＳＥ１，ＳＥ２の対向面と検出電極ＤＥの対向面との間に生じる電気力線ＥＦ１は、重畳部分の面積が大きい方がより多くの電気力線ＥＦ１が生じる。一方、重畳しない部分すなわちフリンジ部分では、走査電極ＳＥ１，ＳＥ２の対向面とタッチした指ＦＮとの間に電気力線ＥＦ３が生じる。このとき、電極幅Ｗ１の走査電極ＳＥ１と検出電極ＤＥとが交差する位置Ａにタッチした場合と、電極幅Ｗ２の走査電極ＳＥ２と検出電極ＤＥとが交差する位置Ｂにタッチした場合とで、指ＦＮとの大きさにもよるが、走査電極ＳＥ１，ＳＥ２と検出電極ＤＥとの間に生じる電気力線ＥＦ１、及び走査電極ＳＥ１，ＳＥ２と指ＦＮとの間に生じる電気力線ＥＦ３とがそれぞれ異なることとなる。
【００２８】
その結果、図４に示すように、期間ｔ０〜ｔ１において、走査電極ＳＥ１，ＳＥ２に同じ走査信号ＳＩＧが供給される場合であっても、タッチ時には、図５に示すように、電極幅Ｗ１，Ｗ２に対応したグラフＧ２，Ｇ３の検出信号が計測される。すなわち、電極幅Ｗ１の走査電極ＳＥ１の部分にタッチした場合には、グラフＧ３で示す電流変化となる信号が計測され、電極幅Ｗ２の走査電極ＳＥ２の部分にタッチした場合には、グラフＧ２で示す電流変化となる信号が計測される。さらには、非タッチ時には、グラフＧ１で示す電流変化がとなる信号が検出される。
【００２９】
従って、実施形態１のタッチパネルでは、走査信号ＳＩＧの出力タイミングと、検出電極ＤＥで計測されたグラフＧ１，Ｇ２，Ｇ３に対応する信号（検出信号）とに基づいて、駆動回路ＤＲは操作者が指ＦＮでタッチした位置を特定することが可能となる。
【００３０】
以上説明したように、実施形態１のインセル型タッチパネルを備える液晶表示装置では、１本の引き出し走査線ＳＤに少なくとも２つの走査電極ＳＥ１，ＳＥ２を接続すると共に、該２つの走査電極ＳＥ１，ＳＥ２の電極幅Ｗ１，Ｗ２が異なる構成、すなわち検出電極ＤＥ又はタッチする誘電体である指ＦＮから見た走査電極ＳＥ１，ＳＥ２の容量が異なる構成としている。さらには、検出電極で検出されるタッチ時の電流変化の違いを検出する構成となっているので、１本の引き出し走査線ＳＤに接続される走査電極ＳＥ１，ＳＥ２の何れにタッチがされたかを検出することができる。すなわち、タッチパネル前面へのタッチによる容量変化に伴い検出電極ＤＥで検出される電流変化（過渡応答）を、第１の判定レベル及び第２の判定レベルと比較することによって、同じタイミングで走査信号ＳＩＧが供給される走査電極ＳＥ１へのタッチか、走査電極ＳＥ２へのタッチかを判定する構成としている。なお、走査電極ＳＥ１，ＳＥ２の電極幅Ｗ１，Ｗ２が異なることによるタッチ位置の判定が可能であるならば、過渡応答での電流変化以外での検出方法（例えば、電極間の容量を検出する方法等）であってもよい。
【００３１】
その結果、走査電極と駆動回路とを接続する引き出し走査線数を走査電極数の半分（１／２）に低減させることが可能となり、引き出し走査線が配置される額縁領域を大幅に小さくすることが可能となる。
【００３２】
また、実施形態１の構成では、走査電極数を減少させることなく、引き出し走査線数のみを減少させることが可能となるので、走査信号ＳＩＧのパルス幅等を変更することなく、走査信号ＳＩＧの出力パルス数を２倍にすることができる。その結果、タッチパネル前面へのタッチを検出するための走査に要する時間すなわち１フレーム期間に要する時間を半分にすることが可能となる。また、従来の１フレーム期間に２回の検出を行うことも可能となるので、検出速度を２倍に向上させることも可能である。検出回数を増加させた場合には、ドラッグやフリック等のタッチ位置が移動する操作（ドラッグモーションタッチ）を行った場合やマルチタッチの位置検出を高速に行うことが可能となるので、タッチパネルを用いた操作をスムースに行うことが可能となる。
【００３３】
ただし、図１に示す実施形態１のタッチパネルでは、図中右側の額縁領域のみに引き出し走査線ＳＤを配置する構成としたが、これに限定されることはない。例えば、図１１に示すように、図中左右の額縁領域すなわち走査電極ＳＥ１，ＳＥ２の端部側の２つの額縁領域にそれぞれ引き出し走査線ＳＤを形成する構成であってもよい。
【００３４】
また、実施形態１の構成では、電極幅Ｗ１の走査電極ＳＥ１と、電極幅Ｗ２の走査電極ＳＥ２とが交互に並設される場合について説明したが、３つ以上の異なる電極幅を有する走査電極ＳＥを用いる構成であってもよい。この場合には、１本の引き出し走査線ＳＤに３つの異なる電極幅の走査電極ＳＥが電気的に接続される。
【００３５】
さらには、実施形態１の構成では、タッチパネルの駆動回路のみを図示し、表示用の画素（画素）に供給する映像信号（階調信号、ドレイン信号）を生成する図示しないドレイン線駆動回路、及び表示制御用の走査信号（ゲート信号）を生成する図示しないゲート線駆動回路も、タッチパネルの駆動回路ＤＲと同じ辺部に搭載される。なお、ドレイン線駆動回路及びゲート線駆動回路並びに駆動回路ＤＲを１つの半導体チップで形成する構成であってもよい。
【００３６】
〈実施形態２〉
図１２は本発明の実施形態２の表示装置におけるインセル型タッチパネル部分の全体構成を説明するための平面図であり、１本の引き出し走査線ＳＤに接続される異なる電極幅Ｗ１，Ｗ２の走査電極ＳＥ１，ＳＥ２の配置が異なるのみで、他の構成は実施形態１と同様である。従って、以下の説明では、１本の引き出し走査線ＳＤに接続される走査電極ＳＥ１，ＳＥ２の配置について、詳細に説明する。
【００３７】
図１２に示すように、実施形態２のタッチパネルにおいても、実施形態１と同様に、Ｙ方向に並設される走査電極ＳＥ１，ＳＥ２を図中上側半分と下側半分に分け、上側半分の走査電極ＳＥ１，ＳＥ２と下側半分の走査電極ＳＥ１，ＳＥ２とを組み合わせて１本の引き出し走査線ＳＤに接続する構成となっている。このとき、図中上側から奇数番目に配置される走査電極ＳＥ１は電極幅がＷ１であり、偶数番目に配置される走査電極ＳＥ２は電極幅がＷ２となっている。従って、実施形態２の構成では、図中上側半分の最上段の走査電極ＳＥ１と、下側半分の最上段の走査電極ＳＥ２とを、１本の引き出し走査線ＳＤに接続される構成となっている。次の図中上側半分の２番目の走査電極ＳＥ２と、下側半分の２番目の走査電極ＳＥ１とが１本の引き出し走査線ＳＤに接続される。以降、順番に図中上側半分の走査電極と、下側半分の走査電極とが１本の引き出し走査線ＳＤに接続される構成となっている。
【００３８】
実施形態２のタッチパネルの構成では、走査電極ＳＥ１と走査電極ＳＥ２との合計数は偶数となるように形成されている。従って、ｈ＝（ｎ＋１）／２とした場合、図中下側半分の最上段の走査電極すなわち第ｈ番目の走査電極はＨｈで示す第ｈ番目の電極幅Ｗ２の走査電極ＳＥ２となる。また、Ｈ２で示す第２番目の走査電極ＳＥ２と、Ｈｈ＋１で示す第ｈ＋１番目の走査電極ＳＥ１とが同一の引き出し走査線ＳＤに接続される。以降、順番され、Ｈｈ−１で示す第ｎ−１番目の走査電極ＳＥ１と、Ｈｎ＋１で示す第ｎ＋１番目の走査電極ＳＥ２とが同一の引き出し走査線ＳＤに接続される。
【００３９】
このように、実施形態２の構成においても、電極幅Ｗ１の走査電極ＳＥ１と電極幅Ｗ２の走査電極ＳＥ２とが１本の引き出し走査線ＳＤに接続される構成となるので、実施形態１と同様の効果を得ることができる。
【００４０】
また、実施形態２のタッチパネルでは、１本の引き出し走査線ＳＤに接続される走査電極ＳＥ１と走査電極ＳＥ２との間隔を略同一の間隔に保持することができる。従って、タッチ位置によらず検出電極ＤＥで検出される検出信号の波形を同等の波形とすることが可能となるので、検出精度を向上できるという格別の効果を得ることができる。
【００４１】
〈実施形態３〉
図１３は本発明の実施形態３の表示装置におけるインセル型タッチパネル部分の全体構成を説明するための平面図であり、１本の引き出し走査線ＳＤに接続される異なる電極幅Ｗ１，Ｗ２の走査電極ＳＥ１，ＳＥ２の配置が異なるのみで、他の構成は実施形態１と同様である。
【００４２】
図１３に示すように、実施形態３のタッチパネルの構成においても、電極幅Ｗ１の走査電極ＳＥ１と電極幅Ｗ２の走査電極ＳＥ２とが１本の引き出し走査線ＳＤに接続される構成となっている。このとき、実施形態３の構成では、隣接する奇数番目の走査電極ＳＥ１と偶数番目の走査電極ＳＥ２とを１本の引き出し走査線ＳＤに接続される構成となっている。すなわち、Ｈ１で示す第１番目の走査電極ＳＥ１とＨ２で示す第２番目の走査電極ＳＥ２とが同一の引き出し走査線ＳＤに接続される。以降、順番にＨ３で示す第３番目の走査電極ＳＥ１とＨ４で示す第４番目の走査電極ＳＥ２とが同一の引き出し走査線ＳＤに接続され、図中下側のＨｎで示す第ｎ番目の走査電極ＳＥ１とＨｎ＋１で示す第ｎ＋１番目の走査電極ＳＥ２とが同一の引き出し走査線ＳＤに接続される。
【００４３】
このように、実施形態３の構成においても、電極幅Ｗ１の走査電極ＳＥ１と電極幅Ｗ２の走査電極ＳＥ２とが１本の引き出し走査線ＳＤに接続される構成となるので、実施形態１と同様の効果を得ることができる。
【００４４】
さらには、引き出し走査線ＳＤを交差して形成することなく、電極幅Ｗ１の走査電極ＳＥ１と電極幅Ｗ２の走査電極ＳＥ２とを１本の引き出し走査線ＳＤに接続できるという格別の効果を得ることができる。
【００４５】
なお、実施形態３の構成では、同一の引き出し走査線ＳＤに接続される走査電極ＳＥ１，ＳＥ２が隣接して配置されるので、走査電極ＳＥ１の電極幅Ｗ１と走査電極ＳＥ２の電極幅Ｗ２との差が大きい方が好ましい。
【００４６】
また、実施形態１〜３のインセル型のタッチパネルを備える表示装置では、電極幅Ｗ１の走査電極ＳＥ１と電極幅Ｗ２の走査電極ＳＥ２とが交互に並設される場合について説明したが、走査電極ＳＥ１，ＳＥ２の配置はこれに限定されることはない。例えば、第１基板ＳＵＢ１の上側部分に電極幅Ｗ１の走査電極ＳＥ１を形成すると共に、下側部分に電極幅Ｗ２の走査電極ＳＥ２を形成し、１本の引き出し走査線ＳＤに走査電極ＳＥ１と走査電極ＳＥ２とを接続する構成であってもよく、その逆の配置であってもよい。さらには、例えば、上側から電極幅Ｗ１の走査電極ＳＥ１が２つ配置され、次に電極幅Ｗ２の走査電極ＳＥ２が２つ配置され、その後に、順次走査電極ＳＥ１と走査電極ＳＥ２とが２つずつ配置される構成、すなわち電極幅Ｗ１の走査電極ＳＥ１と電極幅Ｗ２の走査電極ＳＥ２とが２つずつ隣接するように配置される構成であってもよい。ただし、この構成であっても、１本の引き出し走査線ＳＤには、走査電極ＳＥ１と走査電極ＳＥ２とが１つずつ接続される。
【００４７】
以上、本発明者によってなされた発明を、前記発明の実施形態に基づき具体的に説明したが、本発明は、前記発明の実施形態に限定されるものではなく、その要旨を逸脱しない範囲において種々変更可能である。
【符号の説明】
【００４８】
ＳＵＢ１……第１基板、ＳＵＢ２……第２基板、ＳＥ，ＳＥ１，ＳＥ２……走査電極
ＤＥ……検出電極、ＳＤ……引き出し走査線、ＤＤ……引き出し検出線
ＤＲ……駆動回路、ＡＤ……検出領域、ＦＮ……指、ＬＣ……液晶（液晶層）
【図１】
2015084165.tif 000003
【図２】
2015084165.tif 000004
【図３】
2015084165.tif 000005
【図４】
2015084165.tif 000006
【図５】
2015084165.tif 000007
【図６】
2015084165.tif 000008
【図７】
2015084165.tif 000009
【図８】
2015084165.tif 000010
【図９】
2015084165.tif 000011
【図１０】
2015084165.tif 000012
【図１１】
2015084165.tif 000013
【図１２】
2015084165.tif 000014
【図１３】
2015084165.tif 000015
【図１４】
2015084165.tif 000016